(57)【特許請求の範囲】
【請求項１】
集塵機の内部に配置されたバッグフィルターの上方から増幅空気を噴射して、バッグフィルターに捕集された粉塵を脱離させるバッグフィルター脱塵装置であって、
水平方向に配置され、圧縮空気が噴出される複数の噴出口が相互に離隔して設けられた圧縮空気管と；
前記圧縮空気管から供給された圧縮空気を増幅して前記バッグフィルターの内部に噴射する第１インジェクターと；
前記第１インジェクターの上方の同軸上に離隔して位置し、前記圧縮空気管から供給された圧縮空気を増幅して前記第１インジェクターの内部に噴射する第２インジェクターと；を備え、
前記第１および第２インジェクターは、中央部が空いているドーナツ形状のボディ部と、前記圧縮空気の供給を前記ボディ部の内部に受けることができるように前記ボディ部の上面または下面に設けられ、前記噴出口に結合される接続孔と、前記ボディ部の内周面に沿って円形に上側に設けられた第１ガイドと下側に設けられた第２ガイドとの間の空間からなり、前記接続孔を介して供給された圧縮空気を噴射する噴射スリットと、前記第２ガイドから下部に延び、前記噴射スリットを介して圧縮空気が噴射されるときに周辺の空気を伴う増幅空気を下部垂直方向に噴射する円筒形誘導管と、前記第２ガイドと前記誘導管との間に設けられた曲面形状のコアンダ面とから構成されることを特徴とする大口径ロングバッグフィルター脱塵装置。
【請求項２】
前記第１インジェクターと前記第２インジェクターの誘導管の直径が１：０．３〜０．７の比率であることを特徴とする請求項１に記載の大口径ロングバッグフィルター脱塵装置。
【請求項３】
前記圧縮空気管は前記第１インジェクターのボディ部と前記第２インジェクターのボディ部との間に配置され、  
前記噴出口は前記圧縮空気管の上面および下面にそれぞれ設けられ、
前記上面に設けられた噴出口は、前記第２インジェクターのボディ部の下面に設けられた接続孔に結合され、
前記下面に設けられた噴出口は、前記第１インジェクターのボディ部の上面に設けられた接続孔に結合されることを特徴とする請求項１に記載の大口径ロングバッグフィルター脱塵装置。
【請求項４】
前記圧縮空気管は、  
一端が圧縮空気供給源から圧縮空気管への圧縮空気の供給をオン／オフする制御弁に接続され、途中で分かれて相互に離隔して水平方向に並んで配置される２つの分岐管から構成され、
前記第２インジェクターの誘導管は前記分岐管同士の間に配置されることを特徴とする請求項３に記載の大口径ロングバッグフィルター脱塵装置。
【請求項５】
前記圧縮空気管は、
第１圧縮空気管と第２圧縮空気管からなり、
前記噴出口は、前記第１、第２圧縮空気管の上面にそれぞれ設けられ、前記第１、第２圧縮空気管の噴出口は、それぞれ前記第１、第２インジェクターのボディ部の下面に設けられた接続孔に結合されることを特徴とする請求項１に記載の大口径ロングバッグフィルター脱塵装置。
【請求項６】
前記圧縮空気管は、
一端が圧縮空気供給源から前記圧縮空気管への圧縮空気の供給をオン／オフする制御弁に接続され、途中で分岐して前記第１圧縮空気管と前記第２圧縮空気管を成すことを特徴とする請求項５に記載の大口径ロングバッグフィルター脱塵装置。
【請求項７】
前記第１、第２圧縮空気管は、一端が圧縮空気供給源から前記第１、第２圧縮空気管への圧縮空気の供給をオン／オフする第１、第２制御弁にそれぞれ接続され、途中で分かれて相互に離隔して水平方向に並んで配置される２つの分岐管から構成され、前記第１、第２インジェクターの誘導管は、それぞれ前記第１、第２圧縮空気管の分岐管同士の間に配置されることを特徴とする請求項５に記載の大口径ロングバッグフィルター脱塵装置。
【請求項８】
前記第１、第２制御弁は互いに独立してまたは同時にオン／オフされることを特徴とする請求項７に記載の大口径ロングバッグフィルター脱塵装置。
【請求項９】
前記第１および第２インジェクターの誘導管のいずれか一方または両方には、
前記増幅空気が前記誘導管を通過するときに旋回流を形成することができるように、溝または突起からなる螺旋状の旋回流形成部が内壁に備えられたことを特徴とする請求項１に記載の大口径ロングバッグフィルター脱塵装置。
【請求項１０】
前記第１ガイドに対向する前記第２ガイドの面、または前記第１ガイドに対向する前記第２ガイドの面から前記コアンダ面にわたって、溝または突起からなる複数の圧縮空気誘導部が前記第２ガイドから前記ボディ部の中央部に向かって設けられたことを特徴とする請求項１に記載の大口径ロングバッグフィルター脱塵装置。
【発明の詳細な説明】
【技術分野】
【０００１】
本発明は、２つのインジェクターを同軸上に上下に配置したデュアルインジェクターを介して増幅空気を噴射する方式を採用し、従来のバッグフィルター脱塵装置に比べてより強力な脱塵力を発揮することができるようにすることにより、比較的大きい直径および長い長さを有するバッグフィルターに適用することができるようにした大口径ロングバッグフィルター脱塵装置に関する。
【０００２】
本出願は、２０１７年２月２２日に韓国特許庁に提出された特許出願第１０−２０１７−００２３４３９号の出願日の利益を主張し、その内容の全ては本明細書に含まれる。
【背景技術】
【０００３】
セメント、繊維、化学などの製造工場や金属などを加工する工場などの様々な産業現場で発生する埃や異物などの各種粉塵を吸気口２を介して吸引して、集塵室１の内部に装着された多数のバッグフィルター（Ｂａｇ  Ｆｉｌｔｅｒ）４で濾過した後、粉塵の除去されたきれいな空気を排気口３を介して外部へ排出させる産業用集塵機（Ｄｕｓｔ  Ｃｏｌｌｅｃｔｏｒ）１０が使用されている（図１参照）。
【０００４】
バッグフィルター４の表面の捕集された粉塵層が過度に厚くなると、圧力損失が大きくなるので、ある程度使用した後には周期的に埃を払ってくれる脱塵作業を行わなければならない。
【０００５】
一般に広く使用されるフィルター脱塵方法は、一定の時間間隔で強力な圧縮空気をバッグフィルター４に逆噴射し、直接噴射される圧縮空気と高速噴射により周辺から誘引、随伴される増幅空気とをバッグフィルター４の内部に短い瞬間で流入させてバッグフィルター４を膨張および振動させることにより、バッグフィルター４の外部表面に付着した粉塵を脱離させるエアパルスジェット（Ａｉｒ  Ｐｕｌｓｅ  Ｊｅｔ）方式である。
【０００６】
このような脱塵方式を用いる従来技術としては、韓国公開特許特２００１−００３３６５７号（２００１年４月２５日公開）に「コアンダインジェクターおよび前記インジェクター接続用圧縮ガスライン」が開示されている。
【０００７】
上記の発明は、コアンダ効果を極大化させることができるインジェクターを結合したものであって、吸入しようとする媒体用の流入口、圧縮ガスラインを経由して供給できる加圧媒体用の一つ以上の流入口と環状であることが好ましいノズルスロットとを備える予備チャンバー、および吸入しようとする媒体と加圧媒体用の流出口を含むことを特徴とする。
【０００８】
また、韓国公開特許第１０−２００９−０１０２９７７号（２００９年１０月１日公開）には、集塵フィルターに脱塵空気を噴射する噴射装置を供給管の上部に設置し、噴射される脱塵空気が供給管の外周面に沿って流れながら、下側にある集塵フィルターに噴射されるように構成したことを特徴とする衝撃気流方式の濾過集塵機の脱塵空気噴射装置が開示されている。
【０００９】
一方、従来の集塵機は、通常、長さ５ｍ以下（濾過面積２．４５ｍ２以下）のバッグフィルターを使用するのが一般的であるが、要求される一定の集塵容量を満たすためには、工場内で集塵機が広い面積を占めるという問題点があった。これにより、集塵機の設置面積を減らしてスペース効率を最適化するために、直径が大きく長さが１０ｍ以上（濾過面積４．９ｍ２以上）である大直径ロングバッグフィルター（Ｌａｒｇｅ  Ｄｉａｍｅｔｅｒ  ａｎｄ  Ｌｏｎｇ  Ｌｅｎｇｔｈ  Ｂａｇ  Ｆｉｌｔｅｒ）を採用したりもする。
【００１０】
しかし、これらの従来のバッグフィルター脱塵装置は、長さ５ｍ以下の通常のバッグフィルターに適用するためのものであって、大きい直径を有するバッグフィルターにそのまま適用することが難しく、脱塵のために噴射するエアパルスの到達距離が短くてロングバッグフィルターにおいては脱塵効率が不十分な実情である。
【先行技術文献】
【特許文献】
【００１１】
【特許文献１】韓国公開特許特２００１−００３３６５７号（２００１年４月２５日公開）
【特許文献２】韓国特許第１０−０８０３７２１号（２００８年２月１６日公告）
【特許文献３】韓国公開特許第１０−２００９−０１０２９７７号（２００９年１０月１日公開）
【発明の概要】
【発明が解決しようとする課題】
【００１２】
本発明は、かかる従来技術の問題点を解決するためのもので、その目的は、増幅空気の管路である誘導管の直径が異なる２つのインジェクターを同軸上に上下に所定の間隔で離隔させて配置したデュアルインジェクターを介して増幅空気を噴射する方式を採用することにより、噴射される増幅空気の量、圧力、到達距離などを向上させ、比較的大きい直径と長い長さを有するバッグフィルターに適用することができるようにしたバッグフィルター脱塵装置を提供することにある。
【課題を解決するための手段】
【００１３】
上記の目的を達成するために、本発明は、集塵機の内部に配置されたバッグフィルターの上方から増幅空気を噴射して、バッグフィルターに捕集された粉塵を脱離させるバッグフィルター脱塵装置であって、水平方向に配置され、圧縮空気が噴出される複数の噴出口が相互に離隔して設けられた圧縮空気管と；前記圧縮空気管から供給された圧縮空気を増幅して前記バッグフィルターの内部に噴射する第１インジェクターと；前記第１インジェクターの上方の同軸上に離隔して位置し、前記圧縮空気管から供給された圧縮空気を増幅して前記第１インジェクターの内部に噴射する第２インジェクターと；を備え、前記第１および第２インジェクターは、中央部が空いているドーナツ形状のボディ部と、前記圧縮空気の供給を前記ボディ部の内部に受けることができるように前記ボディ部の上面または下面に設けられ、前記噴出口に結合される接続孔と、前記ボディ部の内周面に沿って円形に上側に設けられた第１ガイドと下側に設けられた第２ガイドとの間の空間からなり、前記接続孔を介して供給された圧縮空気を噴射する噴射スリットと、前記第２ガイドから下部に延び、前記噴射スリットを介して圧縮空気が噴射されるときに周辺の空気を伴う増幅空気を下部垂直方向に噴射する円筒形誘導管と、前記第２ガイドと前記誘導管との間に設けられた曲面形状のコアンダ面とから構成されることを特徴とする大口径ロングバッグフィルター脱塵装置を提供する。
【００１４】
また、本発明は、前記第１インジェクターと第２インジェクターの誘導管の直径が１：０．３乃至０．７の比率であることを特徴とする大口径ロングバッグフィルター脱塵装置を提供する。
【００１５】
また、本発明は、前記圧縮空気管が前記第１インジェクターのボディ部と第２インジェクターのボディ部との間に配置され、前記噴出口が前記圧縮空気管の上面および下面にそれぞれ設けられ、前記上面に設けられた噴出口は前記第２インジェクターのボディ部の下面に設けられた接続孔に結合され、前記下面に設けられた噴出口は前記第１インジェクターのボディ部の上面に設けられた接続孔に結合されることを特徴とする大口径ロングバッグフィルター脱塵装置を提供する。
【００１６】
本発明の一実施形態によれば、前記圧縮空気管は、一端が圧縮空気供給源から圧縮空気管への圧縮空気の供給をオン／オフする制御弁に接続され、途中で分かれて相互離隔して水平方向に並んで配置される２つの分岐管から構成され、前記第２インジェクターの誘導管は、前記分岐管同士の間に配置されてもよい。
【００１７】
本発明の他の実施形態によれば、前記圧縮空気管は、第１圧縮空気管と第２圧縮空気管からなり、前記噴出口は、前記第１、第２圧縮空気管の上面にそれぞれ設けられ、前記第１、第２圧縮空気管の噴出口は、それぞれ前記第１、第２インジェクターのボディ部の下面に設けられた接続孔に結合されてもよい。
【００１８】
このとき、前記圧縮空気管は、一端が圧縮空気供給源から前記圧縮空気管への圧縮空気の供給をオン／オフする制御弁に接続され、途中で分岐して前記第１圧縮空気管と第２圧縮空気管を成してもよい。
【００１９】
また、前記第１、第２圧縮空気管は、一端が圧縮空気供給源から前記第１、第２圧縮空気管への圧縮空気の供給をオン／オフする第１、第２制御弁にそれぞれ接続され、途中で分かれて相互離隔して水平方向に並んで配置される２つの分岐管から構成され、前記第１、第２インジェクターの誘導管は、それぞれ前記第１、第２圧縮空気管の分岐管同士の間に配置されてもよい。
【００２０】
この際、前記第１、第２制御弁は、互いに独立して或いは同時にオン／オフされてもよい。
【００２１】
また、本発明は、前記第１および第２インジェクターの誘導管のいずれか一方または両方には、前記増幅空気が前記誘導管を通過するときに旋回流を形成することができるように、溝または突起からなる螺旋状の旋回流形成部が内壁に備えられたことを特徴とする大口径ロングバッグフィルター脱塵装置を提供する。
【００２２】
また、本発明は、前記第１ガイドに対向する前記第２ガイドの面、または前記第１ガイドに対向する前記第２ガイドの面から前記コアンダ面にわたって、溝または突起からなる複数の圧縮空気誘導部が前記第２ガイドから前記ボディ部の中央部に向かって設けられたことを特徴とする大口径ロングバッグフィルター脱塵装置を提供する。
【発明の効果】
【００２３】
本発明に係る大口径ロングバッグフィルター脱塵装置は、増幅空気を噴射する第１インジェクターの同軸上の上方に第１インジェクターの内部へ増幅空気を噴射する第２インジェクターを離隔させて配置したデュアルインジェクター構造を採用することにより、噴射されるエアパルスの範囲が広く且つ均一であり、到達距離も大幅に向上して比較的大きい直径と長い長さを有するバッグフィルターにも適用して強力な脱塵力を発揮することができるという優れた効果がある。
【００２４】
また、大口径ロングバッグフィルターを採用することができて同じ容量の集塵機でバッグフィルターの数を減らすことができるので、集塵機の設置面積を減らしてスペース効率を最適化するとともに設置費用を削減することができるという利点がある。  
【図面の簡単な説明】
【００２５】
【図１】従来のバッグフィルター脱塵装置が適用された集塵機の縦断面図である。
【図２】本発明の一実施形態に係るバッグフィルター脱塵装置の分離斜視図である。
【図３】図２のＡ−Ａ’線に沿った切開断面図である。
【図４】本発明に係るバッグフィルター脱塵装置の構造を例示する平面図である。
【図５】バッグフィルター脱塵装置の様々な実施形態を示す切開断面図である。
【図６】バッグフィルター脱塵装置の様々な実施形態を示す切開断面図である。
【図７】本発明に係るバッグフィルター脱塵装置の構造を例示する側面図である。
【図８】本発明に係る第１インジェクターの構造を例示する部分切開斜視図である。
【発明を実施するための形態】
【００２６】
以下、添付図面を参照して、本発明の実施形態について、本発明の属する技術分野における通常の知識を有する者が容易に実施し得るように詳細に説明する。本発明は、様々な異なる形態で実現でき、ここで説明する実施形態に限定されない。本発明を明確に説明するために、説明と関係のない部分は省略し、明細書全体にわたって同一又は類似の構成要素については同一の参照符号を付する。
【００２７】
まず、図２は本発明の一実施形態に係るバッグフィルター脱塵装置の分離斜視図、図３は図２のＡ−Ａ’線に沿った切開断面図である。
【００２８】
本発明は、集塵機１０の内部に配置されたバッグフィルター４の上方から瞬間的に増幅された空気を噴射して、バッグフィルター４に捕集された粉塵を脱塵させるバッグフィルター脱塵装置に関するもので、圧縮空気管２０と、前記圧縮空気管２０からそれぞれ圧縮空気の供給を受け、これを増幅して噴射する第１インジェクター３０および第２インジェクター４０で構成される。
【００２９】
水平方向に配置される圧縮空気管２０は、圧縮空気供給源６から第１インジェクター３０および第２インジェクター４０に圧縮空気を供給する空気の管路の役割を果たすもので、一端は圧縮空気の供給をオン／オフする制御弁５に接続され、他端は閉鎖される。
【００３０】
圧縮空気管２０の長さ方向に対して垂直な断面は、円形、楕円形、四角形または多角形などの多様な形状を有することができる。
【００３１】
圧縮空気管２０には、圧縮空気が噴出される複数の噴出口２２が上面および下面のいずれか一方または両方に、互いに一定の間隔で離隔して設けられる。
【００３２】
第１インジェクター３０は、前記圧縮空気管２０から供給された圧縮空気を増幅してバッグフィルター４の内部に噴射する役割を果たし、第２インジェクター４０は、第１インジェクター３０の上方の同軸上に離隔して位置するもので、圧縮空気管２０から供給された圧縮空気を増幅して第１インジェクター３０の中央の内部に噴射する役割を果たす。
【００３３】
具体的には、第１および第２インジェクター３０、４０は、中央部が空いているドーナツ（リング）形状のボディ部３２、４２と、圧縮空気管２０から圧縮空気の供給をボディ部３２、４２の内部に受けるようにボディ部３２、４２の上面または下面に設けられ、前記噴出口２２にそれぞれ結合される接続孔３４、４４と、ボディ部３２、４２の内周面に沿って円形に上側に設けられた第１ガイド３６１、４６１と下側に設けられた第２ガイド３６３、４６３との間の空間からなり、接続孔３４、４４を介して供給された圧縮空気を噴射する噴射スリット３６、４６と、第２ガイド３６３、４６３から垂直方向に延設され、噴射スリット３６、４６を介して圧縮空気が噴射されるときに周辺の空気を伴う増幅空気を下部垂直方向に噴射する円筒形誘導管３８、４８と、第２ガイド３６３、４６３と誘導管３８、４８との間に設けられた曲面形状のコアンダ面３６５、４６５とから構成される。
【００３４】
図３に示すように、噴射スリット３６、４６は、ボディ部３２、４２の内周面に沿って円形に上側に設けられた第１ガイド３６１、４６１と下側に設けられた第２ガイド３６３、４６３との間の空間からなり、第１ガイド３６１、４６１と第２ガイド３６３、４６３の形状を調整して、噴射スリット３６、４６を介して噴射される圧縮空気の噴射角度を調節することもできる。
【００３５】
誘導管３８、４８は、第２ガイド３６３、４６３から下方に延びて一体に設けられるが、第２ガイド３６３、４６３と誘導管３８、４８との間には、曲面形状のコアンダ面３６５、４６５が形成される。
【００３６】
コアンダ効果（ｃｏａｎｄａ  ｅｆｆｅｃｔ）とは、物体の表面に近接して噴出された流体が、その物体の表面に付着して迅速に流れ、これにより、周囲には低い圧力分布が形成される物理現象をいう。
【００３７】
すなわち、流体がスリット（ｓｌｉｔ）を介して噴射される場合に、隣接するところに噴射方向に対して曲面があれば、流体がこの曲面に沿って迅速に流れる。
【００３８】
本発明では、第１ガイド３６１、４６１と第２ガイド３６３、４６３との間の空間に設けられた噴射スリット３６、４６を介して圧縮空気が噴射されると、噴射された圧縮空気は、第２ガイド３６３、４６３と誘導管３８、４８との間に形成された曲面であるコアンダ面３６５、４６５に沿って円筒形誘導管３８、４８の下部方向に高速で流れる。このとき、噴射された圧縮空気によって誘引される周辺空気は、噴射された圧縮空気に伴って、最初噴射された圧縮空気の数十倍に達する量の増幅空気が誘導管３８、４８を介して下部のバッグフィルター４内に短い瞬間で噴射され、バッグフィルター４を膨張および振動させることにより、外部の表面に付着した粉塵を脱離させる。
【００３９】
一方、直径が大きく長さが長い大型バッグフィルター、いわゆる大口径ロングバッグフィルターに対しても十分な脱塵力を発揮するためには、必然的にインジェクターの大きさ、すなわち直径が増加しなければならないが、集塵機内のバッグフィルター配列間隔などを考慮するときにインジェクターの大きさ（直径）を増加させることは非常に限定的である。
【００４０】
また、誘導管の内側壁面に沿って増幅空気が高速で噴射されるコアンダインジェクターの特性上、インジェクターの直径が大きくなると、誘導管の内側壁面付近に沿って噴射される増幅空気に比べて、誘導管の中央部を流れる増幅空気は圧力が弱く量が少ないので、その到達距離が短いため、長さの長いロングバッグフィルターでは十分な脱塵力を期待することが難しい。
【００４１】
かかる問題点を解決するために、本発明は、同軸上に所定の間隔を置いて上下に離隔して配置したデュアルインジェクター、すなわち第１インジェクター３０および第２インジェクター４０を介して増幅空気を噴射する方式を採用することにより、２つのインジェクターの組み合わせおよび補完によって脱塵力の相乗効果を得ている。
【００４２】
すなわち、第１インジェクター３０の直径を大口径バッグフィルターに適切に対応することができるように増加させ、第１インジェクター３０の上方の同軸上に離隔して位置する第２インジェクター４０を介して第１インジェクター３０の中央の内部、すなわち誘導管３８の内部に噴射して、第１インジェクター３０の直径の増加に伴って、誘導管３８の中央部を通過する増幅空気の圧力が弱く量が少なくなる現象を補完することにより、最終的に第１インジェクター３０の誘導管３８の下部を介して噴射される増幅空気の分布を均一にするとともに、増幅空気の量および圧力を増加させて遠い距離まで強力なエアパルシング効果を発揮することができるようにしたのである。
【００４３】
この時、第２インジェクター４０の誘導管４８の直径ｄは、第１インジェクター３０の誘導管３８の直径Ｄよりも小さくするが、第１、第２インジェクター３０、４０の誘導管３８、４８の直径Ｄ、ｄは１：０．３〜０．７の比率であることが好ましい。
【００４４】
第１インジェクター３０の誘導管３８の直径Ｄに対する第２インジェクター４０の誘導管４８の直径ｄの比率が０．３未満であれば、第２インジェクター４０から第１インジェクター３０の中央の内部に噴射される増幅空気の断面積および空気量が小さいため、第１インジェクター３０の誘導管３８の下部を介して最終的に噴射される増幅空気の分布が不均一になり、第２インジェクター４０の誘導管４８の直径ｄの比率が０．７超過であれば、第１インジェクター３０の誘導管３８の下部を介して最終的に噴射される増幅空気の中央部の噴射力が弱いため、第１インジェクター３０と第２インジェクター４０との組み合わせおよび補完による相乗効果、すなわち強力なエアパルシング効果を期待することが難しい。
【００４５】
また、バッグフィルター４の直径と第１インジェクター３０の誘導管３８の直径Ｄは１：０．５〜０．７の比率であることが好ましい。
【００４６】
図２、図３、図４の（Ａ）および図７の（Ｃ）に示すように、本発明の一実施形態によれば、圧縮空気管２０は、第１インジェクター３０のボディ部３２と第２インジェクター４０のボディ部４２との間に配置できる。この場合、噴出口２２は圧縮空気管２０の上面および下面にそれぞれ設けられ、上面に設けられた噴出口２２は、第２インジェクター４０のボディ部４２の下面に設けられた接続孔４４に結合され、下面に設けられた噴出口２２は、第１インジェクター３０のボディ部３２の上面に設けられた接続孔３４に結合される。
【００４７】
図２、図３および図４の（Ａ）では、理解の便宜のために、圧縮空気管２０が途中で分かれて相互に離隔して水平方向に並んで配置される２つの分岐管２４、２４’から構成され、第２インジェクター４０の誘導管４８が前記分岐管２４、２４’の間に配置されるものと例示している。
【００４８】
しかし、図４の（Ｂ）、図５の（ｉｉ）および図６の（ｖ）に例示しているように、圧縮空気が流れる圧縮空気管２０と、圧縮空気が流れない支持部材５０とが相互に離隔して水平方向に並んで配置される構造で形成されてもよい。
【００４９】
このとき、支持部材５０は、第１インジェクター３０のボディ部３２と第２インジェクター４０のボディ部４２との間に介在され、第１インジェクター３０と第２インジェクター４０を結合、固定および支持する役割を果たす。
【００５０】
圧縮空気管２０は、一端が圧縮空気供給源６から前記圧縮空気管２０への圧縮空気の供給をオン／オフする制御弁５に接続され、途中で分かれて互いに離隔して水平方向に並んで配置される２つの分岐管２４、２４’から構成される場合、噴出口２２が２つの分岐管２４、２４’の両方ともの上面および下面にそれぞれ同一に設けられてもよく（図５の（ｉ）および図６の（ｉｖ）参照）、２つの分岐管２４、２４’のいずれか一方には上面にのみ、残りの一方には下面にのみ設けられてもよい（図５の（ｉｉｉ）および図６の（ｖｉ）を参照）。
【００５１】
このような噴出口２２の形成位置に対応することができるように、第１インジェクター３０のボディ部３２と第２インジェクター４０のボディ部４２には、それぞれ接続孔３４、４４が一対設けられてもよく、一つだけ設けられてもよい。
【００５２】
制御弁５は、制御部と弁から構成されるが、外部から信号が制御部に入力されると、制御部は、弁を開または閉状態にして圧縮空気管２０への圧縮空気の供給をオン／オフする。
【００５３】
本発明の別の実施形態によれば、図７の（Ｄ）および（Ｅ）に示すように、圧縮空気管２０は、第１圧縮空気管２０ａと第２圧縮空気管２０ｂからなり、噴出口２２は、第１、第２圧縮空気管２０ａ、２０ｂの上面にそれぞれ設けられ、第１、第２圧縮空気管２０ａ、２０ｂの噴出口２２は、それぞれ第１、第２インジェクター３０、４０のボディ部３２、４２の下面に設けられた接続孔３４、４４に結合されてもよい。
【００５４】
この時、前記圧縮空気管２０は、一端が圧縮空気供給源６からの圧縮空気の供給をオン／オフする一つの制御弁５に接続され、途中で上、下に分岐して第１圧縮空気管２０ａと第２圧縮空気管２０ｂを成すことができる（図７の（Ｄ）参照）。
【００５５】
または、第１、第２圧縮空気管２０ａ、２０ｂそれぞれの一端が、圧縮空気供給源６から第１、第２圧縮空気管２０ａ、２０ｂへの圧縮空気の供給をオン／オフする互いに分離された第１、第２制御弁５’、５”にそれぞれ接続されてもよい（図７の（Ｅ）参照）。
【００５６】
ここで、前記第１、第２制御弁５’、５”は、互いに独立してまたは同時にオン／オフされてもよい。
【００５７】
また、第１、第２圧縮空気管２０ａ、２０ｂは、それぞれ途中で分かれて相互に離隔して水平方向に並んで配置される２つの分岐管２４、２４’から構成され、第１、第２インジェクター３０、４０の誘導管３８、４８は、前記第１、第２圧縮空気管２０ａ、２０ｂの分岐管２４、２４’の間にそれぞれ配置されてもよい（図示せず）。
【００５８】
本発明の別の実施形態によれば、図８に示すように、第１インジェクター３０の誘導管３８には、増幅空気が誘導管３８を通過するときに旋回流を形成することができるように、溝または突起からなる螺旋状の旋回流形成部３８１が内壁に備えられてもよい。
【００５９】
旋回流形成部３８１は、誘導管３８の内壁に沿って高速で流れる増幅空気を旋回流に変化させてバッグフィルター４の内側面に振動を起こすことにより、バッグフィルター４の表面に付着している粉塵の脱離効果を向上させる役割を果たす。
【００６０】
また、第１ガイド３６１に対向する前記第２ガイド３６３の面、または前記第１ガイド３６１に対向する前記第２ガイド３６３の面から前記コアンダ３６５にわたって、溝または突起からなる複数の圧縮空気誘導部３８３が第２ガイド３６３からボディ部３２の中央部に向かって形成されてもよい。
【００６１】
圧縮空気誘導部３８３は、噴射スリット３６を通過する圧縮空気の流れをガイドする役割を果たすことにより、圧縮空気の噴射速度をより効果的に向上させることができる。
【００６２】
図８では旋回流形成部３８１と圧縮空気誘導部３８３が第１インジェクター３０に備えられたことを例示して説明しているが、第２インジェクター４０にも旋回流形成部３８１と圧縮空気誘導部３８３が両方ともまたは選択的に備えられてもよい。
【００６３】
前述したように、本発明に係る大口径ロングバッグフィルター脱塵装置は、増幅空気を噴射する第１インジェクター３０の同軸上の上方に第１インジェクター３０の内部へ増幅空気を噴射する第２インジェクター４０を離隔させて配置したデュアルインジェクター構造を採用することにより、範囲が広く且つ均一であり、到達距離が向上したエアパルスを発生させることができる。これにより、従来の一般なバッグフィルター脱塵装置に比べて比較的大きい直径と長い長さを有する大口径ロングバッグフィルターに対しても強力な脱塵力を発揮することができるという優れた効果がある。
【００６４】
また、大口径ロングバッグフィルターを採用することができて同じ容量の集塵機でバッグフィルターの数を減らすことができるので、集塵機の設置面積を減らしてスペース効率を最適化するとともに設置費用を削減することができるという利点がある。
【図１】
0006758518.tif 000002
【図２】
0006758518.tif 000003
【図３】
0006758518.tif 000004
【図４（Ａ）】
0006758518.tif 000005
【図４（Ｂ）】
0006758518.tif 000006
【図５】
0006758518.tif 000007
【図６】
0006758518.tif 000008
【図７】
0006758518.tif 000009
【図８】
0006758518.tif 000010